(57)【特許請求の範囲】
【請求項１】
飲料を貯留するボトル本体(2)と、前記ボトル本体の開口筒部(6)の雄ネジ(14)に螺着される雌ネジ(13)を備えた中栓(3)と、前記中栓を含んでボトル本体の上部に被冠されると共に該ボトル本体の肩部に着脱自在に固着されるカップ状のキャップ(4)を備えた飲料ボトルにおいて、
前記中栓(3)は、液注路(9)と駆動室(10)を隔壁(19)により区成した内筒部(11)と、該内筒部(11)の上端縁から下向きに折返し状に延設され前記雌ネジ(13)を設けた外筒部(12)とをプラスチックにより一体成形し、
前記液注路(9)は、上部の飲み口(7)とボトル本体(2)の内部に臨む連通口(8)を備え、前記飲み口(7)は、正面側において前記内筒部(11)と外筒部(12)を一体結合することにより、該飲み口(7)の正面部に臨む最高部から前記隔壁(19)の両側に向けて次第に下降するガイド縁部(21)を備えた注出ガイド壁(20)を立設し、
前記駆動室(10)は、前記隔壁(19)から延設された軸受部(21)を内筒部(11)の中心に設けると共に、該軸受部(21)の外周部と内筒部(11)の下端を連結する底壁(22)を形成し、該駆動室(10)に開閉機構(25)を内装しており、
前記開閉機構(25)は、上下動により前記連通口(8)を開閉するバルブ(26)と、前記軸受部(21)に挿通されて前記バルブを上下動させるが常時はバルブが連通口を閉じるようにスプリング(27)により上向きに弾発付勢されたバルブ軸(28)と、前記バルブ軸の上方で横向きに進退移動自在に設けられた操作スライダー(29)を備え、
前記バルブ軸(28)と操作スライダー(29)の相互は、操作スライダーを閉位置Ｐ１に前進させたときバルブ軸を上動させ、開位置Ｐ２に後退させたとき前記スプリングに抗してバルブ軸を下動させるカム駆動部(34)と、操作スライダーを前記開位置Ｐ２に停止させる係止部(35)を構成し、前記操作スライダー(29)は、前記開位置Ｐ２に停止した状態で、尾端部(31a)を外筒部(12)から突出させ、該尾端部(31a)を前進方向に押動することにより前記係止部(35)の係止を解いて操作スライダーを閉位置Ｐ１に前進させる押動手段(39)を構成して成ることを特徴とする飲料ボトル。
【請求項２】
前記操作スライダー(29)の閉位置Ｐ１と開位置Ｐ２の移動距離Ｌ１に対して、前記押動手段(39)により尾端部(31a)を押動される操作スライダー(29)の押動距離Ｌ２は、Ｌ１＞Ｌ２に形成されており、
操作スライダー(29)が前記押動手段(39)により開位置Ｐ２から押動距離Ｌ２だけ前進させられたとき、前記カム駆動部(34)により、バルブ軸(28)の上向き付勢力を介して操作スライダー(29)を前記閉位置Ｐ１まで前進駆動する自動前進手段(42)を構成して成ることを特徴とする請求項１に記載の飲料ボトル。
【発明の詳細な説明】
【技術分野】
【０００１】
本発明は、中栓を備えた飲料ボトルに係り、直飲み等に便利な飲料ボトルに関する。
【背景技術】
【０００２】
従来、児童等が携帯する飲料ボトル、特に、飲料の保温保冷を可能とした真空二重容器から成る飲料ボトルは、飲料を貯留するボトル本体と、ボトル本体の開口部に装着される中栓と、中栓を含んでボトル本体の上部に被冠されると共に該ボトル本体の肩部に着脱自在に固着されるカップ状のキャップを備えている。
【０００３】
児童等が飲料を容易に飲用できるように構成するためには、前記中栓に広口の飲み口を形成し、該飲み口を開閉自在に構成することが好ましい。
【先行技術文献】
【特許文献】
【０００４】
【特許文献１】特許第３６２００３８号公報
【特許文献２】特開２００９−５９３７号公報
【発明の概要】
【発明が解決しようとする課題】
【０００５】
特許文献１に示される飲料ボトルは、中栓を外栓と内栓により構成し、外栓に形成した広口の飲み口を内栓により開閉自在とするため、該内栓を外栓に対してヒンジ回動自在に連結している。しかしながら、飲料の飲用に際しては、内栓を反転させる必要があり、飲み口の外側に反転した内栓が大きく突出するので、違和感があると共に、突出した内栓が飲用の邪魔になるという問題がある。
【０００６】
特許文献２に示される飲料ボトルは、中栓の飲み口を備えた液注路の側部に臨むバルブ機構を設け、該バルブ機構のバルブを上下動させるための操作レバーを設けており、指先で操作レバーを開位置に引き上げることによりバルブが液注路を開放し、操作レバーを閉位置に倒すことによりバルブが液注路を閉鎖するように構成している。しかしながら、操作レバーの回動ストロークが小さいため、ユーザが飲用を終えた後、操作レバーを閉位置に戻すことを忘れるおそれがあり、その場合、携帯中の飲料ボトルから飲料が自由に漏出してしまう問題がある。
【０００７】
本発明は、ユーザが飲料を容易に飲用できる広口の飲み口を備えた中栓において、前記飲み口に至る液注路の開閉操作を簡単容易に行い得る操作スライダーを設けると共に、飲用後は、ユーザが操作スライダーを閉位置に戻すことを忘れても、自動的に閉位置に戻されるように構成した中栓を有する飲料ボトルを提供することを課題とする。
【課題を解決するための手段】
【０００８】
上記課題を解決するために本発明が手段として構成したところは、飲料を貯留するボトル本体と、前記ボトル本体の開口筒部の雄ネジに螺着される雌ネジを備えた中栓と、前記中栓を含んでボトル本体の上部に被冠されると共に該ボトル本体の肩部に着脱自在に固着されるカップ状のキャップを備えた飲料ボトルにおいて、前記中栓は、液注路と駆動室を隔壁により区成した内筒部と、該内筒部の上端縁から下向きに折返し状に延設され前記雌ネジを設けた外筒部とをプラスチックにより一体成形し、前記液注路は、上部の飲み口とボトル本体の内部に臨む連通口を備え、前記飲み口は、正面側において前記内筒部と外筒部を一体結合することにより、該飲み口の正面部に臨む最高部から前記隔壁の両側に向けて次第に下降するガイド縁部を備えた注出ガイド壁を立設し、前記駆動室は、前記隔壁から延設された軸受部を内筒部の中心に設けると共に、該軸受部の外周部と内筒部の下端を連結する底壁を形成し、該駆動室に開閉機構を内装しており、前記開閉機構は、上下動により前記連通口を開閉するバルブと、前記軸受部に挿通されて前記バルブを上下動させるが常時はバルブが連通口を閉じるようにスプリングにより上向きに弾発付勢されたバルブ軸と、前記バルブ軸の上方で横向きに進退移動自在に設けられた操作スライダーを備え、前記バルブ軸と操作スライダーの相互は、操作スライダーを閉位置Ｐ１に前進させたときバルブ軸を上動させ、開位置Ｐ２に後退させたとき前記スプリングに抗してバルブ軸を下動させるカム駆動部と、操作スライダーを前記開位置Ｐ２に停止させる係止部を構成し、前記操作スライダーは、前記開位置Ｐ２に停止した状態で、尾端部を外筒部から突出させ、該尾端部を前進方向に押動することにより前記係止部の係止を解いて操作スライダーを閉位置Ｐ１に前進させる押動手段を構成して成る点にある。
【０００９】
本発明の好ましい実施形態において、前記操作スライダーの閉位置Ｐ１と開位置Ｐ２の移動距離Ｌ１に対して、前記押動手段により尾端部を押動される操作スライダーの押動距離Ｌ２は、Ｌ１＞Ｌ２に形成されており、操作スライダーが前記押動手段により開位置Ｐ２から押動距離Ｌ２だけ前進させられたとき、前記カム駆動部により、バルブ軸の上向き付勢力を介して操作スライダーを前記閉位置Ｐ１まで前進駆動する自動前進手段を構成している。
【発明の効果】
【００１０】
本発明によれば、ユーザが飲料を容易に飲用できる広口の飲み口７を備えた中栓３が提供され、しかも、中栓３は、操作スライダー２９を進退移動することによりバルブ軸２８を上下動させ、バルブ２６により液注路９の連通口８を開閉する構成であるから、開閉操作を簡単容易に行うことができる。即ち、本発明によれば、操作スライダー２９の進退移動により連通口８を開閉する中栓３でありながら、液注路９と駆動室１０を隔壁１９により区成した内筒部１１の上端縁から雌ネジ１３を設けた外筒部１２を折返し状に延設することにより、プラスチックによる一体成形を可能とし、しかも、前記駆動室１０に開閉機構２５を内装する一方において、前記液注路９は、駆動室１０から隔壁１９により区成された構成とし、内筒部１１と外筒部１２を一体結合することにより、正面部に臨む最高部から前記隔壁１９の両側に向けて次第に下降するガイド縁部２１を備えた注出ガイド壁２０を立設した広口の飲み口７を形成するので、ユーザが唇を当てることにより好適に直飲み可能であることは勿論、開閉機構２５を設けた構成としながらも、広口の飲み口を備えた中栓３をプラスチック成形により提供できる効果がある。
【００１１】
特に、本発明によれば、操作スライダー２９とキャップ４の相互に、操作スライダー２９を開位置Ｐ２に停止させた状態でキャップ４を被冠方向に下動したとき、キャップ４の押動面４０により操作スライダー２９の尾端部３１ａを前進方向に押動する押動手段３９を構成しているので、飲料の飲用後、ユーザが操作スライダー２９を閉位置Ｐ１に戻すことを忘れても、操作スライダー２９を自動的に閉位置Ｐ１に戻すように構成することが可能となり、不慮にボトル本体２から飲料が漏出することにより衣服等を汚損する事故を防止できる効果がある。
【００１２】
この際、操作スライダー２９の閉位置Ｐ１と開位置Ｐ２の移動距離Ｌ１に対して、押動手段３９により尾端部３１ａを押動される操作スライダー２９の押動距離Ｌ２がＬ１＞Ｌ２に形成されている場合は、操作スライダー２９が前記押動手段３９により後退位置Ｐ２から押動距離Ｌ２だけ前進させられたとき、カム駆動部３４によりバルブ軸２８の上向き付勢力を介して操作スライダー２９を前記閉位置Ｐ１まで前進駆動する自動前進手段４２として作動する構成とすることにより、操作スライダー２９を間違いなく確実に閉位置Ｐ１まで前進させることが可能になる。
【図面の簡単な説明】
【００１３】
【図１】本発明の１実施形態に係る飲料ボトルの縦断面図である。
【図２】中栓を示しており、（Ａ）は平面図、（Ｂ）は側面図である。
【図３】図２（Ａ）のＡ−Ａ線に沿う中栓の断面とキャップの断面を示す縦断面図である。
【図４】操作スライダーを開位置に後退させた中栓の断面とキャップの断面を示す縦断面図である。
【図５】図２（Ａ）のＢ−Ｂ線に沿う中栓の縦断面図である。
【図６】中栓の作用を示しており、液注路を開放した状態を示す縦断面図である。
【図７】中栓とキャップの相互に設けた押動手段の作用を示す縦断面図である。
【図８】中栓に設けた自動前進手段の作用を示す縦断面図である。
【発明を実施するための形態】
【００１４】
以下図面に基づいて本発明の好ましい実施形態を詳述する。
【００１５】
（全体的構成）
図１ないし図５に示すように、飲料ボトル１は、飲料を貯留するボトル本体２と、前記ボトル本体２の開口部に装着される中栓３と、前記中栓３を含んでボトル本体２の上部に被冠されるカップ状のキャップ４を備えている。
【００１６】
図示実施形態の場合、ボトル本体２は、飲料の保温保冷を可能とするように、ステンレス製の内容器２ａと外容器２ｂから成る真空二重容器を構成し、肩部５から開口筒部６を上向きに延設しており、前記開口筒部６に中栓３を着脱自在に螺着すると共に、前記肩部５にキャップ４を着脱自在に螺着するように構成している。
【００１７】
中栓３は、プラスチックにより成形されており、上部に形成された広口の飲み口７から下向きに延びてボトル本体２の内部に臨む連通口８を有する液注路９と、開閉機構を内装する駆動室１０を区成する内筒部１１と、該栓体１１の上端縁から下向きに折返し状に延設された外筒部１２を備え、外筒部１２の内周に形成した雌ネジ１３を前記開口筒部６の雄ネジ１４に着脱自在に螺着することにより装着され、装着状態で前記内筒部１１の下端外周に設けたシールパッキン１５を内容器２ａの内周リブ１６に密着する。
【００１８】
キャップ４は、プラスチックにより、前記装着された中栓３を含んでボトル本体２の上部に被冠されるカップ状に形成され、下向きの開口縁部の内周部に形成した雌ネジ１７を前記肩部５の雄ネジ１８に着脱自在に螺着される。
【００１９】
（中栓の詳細構成）
図３ないし図５に詳細を示すように、中栓３の液注路９と駆動室１０は、相互に隔壁１９により区切られ、液注路９は、連通口８に臨む下端部から上端の飲み口７に向けて次第に広がるように形成され、該飲み口７の正面側において前記内筒部１１と外筒部１２を一体結合することにより注出ガイド壁２０を立設しており、該注出ガイド壁２０の上縁は、飲み口７の正面部に臨む最高部から前記隔壁１９の両側に向けて次第に下降する
ガイド縁部２１を形成している。
【００２０】
駆動室１０は、前記隔壁１９から延設することにより内筒部１１の中心に設けられた筒状の軸受部２１を備えると共に、該軸受部２１の外周部を内筒部１１の下端に連結する底壁２２を備え、該底壁２２に通気孔２３を開設しており、駆動室１０の上部を蓋壁２４により閉鎖している。
【００２１】
前記駆動室１０には開閉機構２５が内装され、該開閉機構２５は、上下動により前記連通口８を下方から開閉するバルブ２６と、前記バルブ２６を上下動させるが常時はバルブ２６が連通口８を閉じるようにスプリング２７により上向きに弾発付勢されたバルブ軸２８と、前記バルブ軸２８の上方で横向きに進退移動自在に設けられた操作スライダー２９を備えている。
【００２２】
図示実施形態の場合、傘状のバルブ２６と、該バルブ部２６の中心から立設されたバルブ軸２８を一体に形成し、バルブ軸２８を前記軸受部２１に下方から挿入すると共に、該バルブ軸２８の挿出端と軸受部２１の間にバネ受３０を介して圧縮コイルスプリング２７を介装している。これにより、バルブ２６は、常時は図３に矢印Ｕで示すように上向きに弾発付勢され、該バルブ２６の周縁部を前記シールパッキン１５に密着することにより連通口８を閉鎖している。
【００２３】
図３及び図４に示すように、操作スライダー２９は、蓋壁２４の下側に沿って前進方向Ｆと後退方向Ｒに向けて進退移動自在に設けられた平板体３１により構成され、該平板体３１を進退移動させるための摘み片３２を立設すると共に、該摘み片３２を蓋壁２４の窓孔３３に挿通することにより上方に起立させている。平板体３１の進退移動方向は、摘み片３２が飲み口７に接近・離反する方向とされ、前記窓孔３３は、図４に示すように、摘み片３２を前進位置の閉位置Ｐ１と後退位置の開位置Ｐ２の間で移動距離Ｌ１だけ進退移動可能とするように形成されており、開位置Ｐ２に後退したとき平板体３１の尾端部３１ａを外筒部１２から外方に突出させる。
【００２４】
（カム駆動部及び係止部）
前記バルブ軸２８の上端部と平板体３１の下面部の相互には、操作スライダー２９を閉位置Ｐ１に前進させたときバルブ軸２８の上動を許し、開位置Ｐ２に後退させたとき前記スプリング２７に抗してバルブ軸２８を押下するカム駆動部３４と、後退させた操作スライダー２９を前記開位置Ｐ２に停止させる係止部３５が設けられている。
【００２５】
図示実施形態の場合、前記カム駆動部３４は、バルブ軸２８の砲弾形の先端部周面の円弧状の凸曲面３６と、操作スライダー２９の前進方向Ｆに関して次第に下向きに傾斜するように平板体３１の下面に形成した円弧状の凹曲面３７により形成されている。また、前記係止部３５は、バルブ軸２８の先端尖鋭部を係止させるように前記凹曲面３７の最下部から前進方向Ｆに偏位した平板体３１の下面位置に設けた凹部３８により形成されている。
【００２６】
従って、操作スライダー２９が閉位置Ｐ１に前進させられた状態では、図３に示すように、バルブ軸２８は、先端部の凸曲面３６が凹曲面３７に受け入れられるので、スプリング２７により上動し、矢印Ｕのようにバルブ２６を上動することにより連通口８を閉鎖している。そこで、閉位置Ｐ１から操作スライダー２９を後退させると、前記カム駆動部３４の凹曲面３７が凸曲面３７を押下げ、バルブ軸２８をスプリング２７に抗して下動するので、矢印Ｄのようにバルブ２６を下動することにより連通口８を開放する。そして、図４に示すように、更に、操作スライダー２９を開位置Ｐ２まで後退させたとき、上向きに付勢されたバルブ軸２８の先端が係止部３５の凹部３８に挿入係止されるので、バルブ２６を下動させた状態でバルブ軸２８が保持され、しかも、操作スライダー２９も開位置Ｐ２に保持される。
【００２７】
尚、バルブ２６により連通口８を閉鎖させる場合は、開位置Ｐ２にある操作スライダー２９を前進方向Ｆに向けて押動すれば、前記係止部３５の係止が解かれるので、そのまま操作スライダー２９を閉位置Ｐ１まで前進させれば良い。
【００２８】
（押動手段）
前記操作スライダー２９とキャップ４の相互は、操作スライダー２９を前記開位置Ｐ２に後退させ係止部３５の係止により停止させた状態で、キャップ４を被冠方向に下動したとき、キャップ４の下向き開口縁４ａにより操作スライダー２９の平板体３１の尾端部３１ａを前進方向に押動する押動手段３９を構成している。
【００２９】
図示実施形態の場合、押動手段３９は、図３に示すように、キャップ４の下向き開口縁４ａの内側から外側に向けて水平ラインよりも角度θ１で示すように下向き傾斜するように形成された押動面４０と、操作スライダー２９における平板体３１の尾端部３１ａに内側から外側に向けて水平ラインよりも角度θ２で示すように下向き傾斜するように形成された被押動面４１により構成され、図４に示すように、操作スライダー２９を開位置Ｐ２に停止させた状態で、キャップ４の雌ネジ１７をボトル本体２の肩部５の雄ネジに向かうように姿勢を整えたとき、前記押動面４０と被押動面４１が対向するように構成されている。
【００３０】
従って、前記対向状態でキャップ４を被冠方向に下動すると、押動面４０が被押動面４１を押動することにより、図４に示す押動距離Ｌ２だけ操作スライダー２９を前進方向に押動するので、バルブ軸２８と操作スライダー２９の係止部３５の係止が解かれる。この際、上述の開位置Ｐ２から閉位置Ｐ１までの移動距離Ｌ１に対して、前記押動距離Ｌ２は、Ｌ１＞Ｌ２に形成されているので、押動手段３９の押動だけで操作スライダー２９が閉位置Ｐ１まで前進することはない。
【００３１】
（自動前進手段）
そこで、上述のようにカム駆動部３４を凸曲面３６と凹曲面３７により構成することにより、該カム駆動部３４が単なるカム駆動機能を有するだけでなく、押動された操作スライダー２９を閉位置Ｐ１まで前進駆動する自動前進手段４２を構成している。図４に示すように、操作スライダー２９の尾端部３１ａが押動距離Ｌ２だけ前進方向に押動されると、同時に、カム駆動部３４を構成する凹曲面３７が押動距離Ｌ２だけ前進し、バルブ軸２８の先端の凸曲面３６が凹曲面３７に臨むので、スプリング２７によるバルブ軸２８の上向き付勢力により上動する凸曲面３６が凹曲面３７に沿って操作スライダー２９を閉位置Ｐ１まで前進駆動し、これにより自動前進手段４２が構成されている。
【００３２】
（作用）
上記構成の実施形態によれば、中栓３は、図６に示すように、摘み片３２を介して操作スライダー２９を開位置Ｐ２まで後退させ、係止部３５を介して停止保持させた状態で、液注路９の連通口８が開放されていので、ユーザは、ボトル本体２を傾けることにより、図示矢印で示すように、広口とされた飲み口７から飲料４３を注出させることができる。尚、中栓３には外気を導入する通気孔２３が設けられているので、飲料は、液注路９から良好に注出される。この際、キャップ４がカップ状に形成されているので、キャップ４に注いだ飲料を飲用しても良いが、飲み口７には中高とされたガイド縁部２１を備えたガイド注出壁２０が設けられているので、唇を当てることにより、好適に直飲みが可能となる。
【００３３】
飲用を終えた後は、摘み片３２を介して操作スライダー２９を閉位置Ｐ１まで前進させると、バルブ２６により連通口８が閉鎖されるが、このような作業をユーザが忘れた場合でも、キャップ４を被冠すると、操作スライダー２９は、自動的に閉位置Ｐ１まで前進させられ、バルブ２６が連通口８を水密的に閉鎖する。図７に示すように、操作スライダー２９を閉位置Ｐ１に停止した状態でキャップ４を被冠すると、押動手段３９により操作スライダー２９が前進方向に押動され、バルブ軸２８を押下することにより、少なくとも係止部３５の係止が解かれる位置まで操作スライダー２９を前進させる。その結果、図８に示すように、スプリング２７により付勢されたバルブ軸２８の凸曲面３６と操作スライダー２９の凹曲面３７が対面することにより自動前進手段４２が作動し、
操作スライダー２９を閉位置Ｐ１まで前進駆動する。
【符号の説明】
【００３４】
１  飲料ボトル
２  ボトル本体
３  中栓
４  キャップ
５  肩部
６  開口筒部
７  飲み口
８  連通口
９  液注路
１０  駆動室
２０  注出ガイド壁
２１  ガイド縁部
２５  開閉機構
２６  バルブ
２７  スプリング
２８  バルブ軸
２９  操作スライダー
３１ａ  尾端部
３２  摘み片
３３  窓孔
３４  カム駆動部
３５  係止部
３６  凸曲面
３７  凹曲面
３８  凹部
３９  押動手段
４０  押動面
４１  被押動面
４２  自動前進手段
【図１】
0005306441.tif 000002
【図２】
0005306441.tif 000003
【図３】
0005306441.tif 000004
【図４】
0005306441.tif 000005
【図５】
0005306441.tif 000006
【図６】
0005306441.tif 000007
【図７】
0005306441.tif 000008
【図８】
0005306441.tif 000009